(57)【要約】【課題】タッチパネルにおいて、同時にタッチ入力が検知された場合であっても優先度に応じて適切な入力が行われることが可能なタッチパネル入力装置等を提供すること。【解決手段】各種情報を表示し、複数のタッチ入力の検知が可能なタッチパネルを有するタッチパネル入力装置において、タッチパネル上において設定される特定領域のタッチ入力と、特定領域以外のタッチ入力とが検知された場合には、特定領域のタッチ入力を無効とし、特定領域以外のタッチ入力を有効とする制御を行うタッチ入力制御手段を備えることを特徴とする。【選択図】図２
2013196582.tif 000002
【特許請求の範囲】
【請求項１】
各種情報を表示し、複数のタッチ入力の検知が可能なタッチパネルを有するタッチパネル入力装置において、
タッチパネル上において設定される特定領域のタッチ入力と、特定領域以外のタッチ入力とが検知された場合には、特定領域のタッチ入力を無効とし、特定領域以外のタッチ入力を有効とする制御を行うタッチ入力制御手段を備えることを特徴とするタッチパネル入力装置。
【請求項２】
前記特定領域には、優先度が設定されており、
前記タッチ入力制御手段は、特定領域以外のタッチ入力が検知されず、かつ、異なる特定領域においてタッチ入力が複数検出された場合には、前記優先度が最も高い特定領域のタッチ入力を有効にすることを特徴とする請求項１に記載のタッチパネル入力装置。
【請求項３】
前記タッチ入力制御手段は、タッチパネルから総ての入力が検知されなくなるまで、特定領域の無効化を継続することを特徴とする請求項１又は２に記載のタッチパネル入力装置。
【請求項４】
各種情報を表示し、複数のタッチ入力の検知が可能なタッチパネルにおけるタッチパネルの入力方法において、
タッチパネル上において設定される特定領域のタッチ入力と、特定領域以外のタッチ入力とを検知した場合には、特定領域のタッチ入力を無効とし、特定領域以外のタッチ入力を有効とするタッチパネルの入力方法。
【請求項５】
各種情報を表示し、複数のタッチ入力の検知が可能なタッチパネルが接続されたコンピュータにおいて、
タッチパネル上において設定される特定領域のタッチ入力と、特定領域以外のタッチ入力とが検知された場合には、特定領域のタッチ入力を無効とし、特定領域以外のタッチ入力を有効とする制御を行うタッチ入力制御機能を実現させることを特徴とするプログラム。
【発明の詳細な説明】
【技術分野】
【０００１】
本発明は、各種情報を表示し、複数のタッチ入力の検知が可能なタッチパネルを有するタッチパネル入力装置等に関する。
【背景技術】
【０００２】
近年、携帯電話等をはじめとする情報表示装置において、入力手段としてタッチパネル入力装置が多く用いられている。タッチパネルは、操作入力を検出する検出手段と、各種情報を表示する表示手段が一体となって形成されており、表示手段に表示されたキー（ソフトキー）等をユーザが直接タッチ（タップ）することにより、操作入力を行うことができる。
【０００３】
とくに、携帯電話の一種として、種々のコンテンツを取得、表示可能なスマートフォンが普及している。従来の携帯電話とは異なり、スマートフォンでは、ハードウェアキーには基本的な機能のみが割り当てられており、多くの操作入力は表示手段に表示されるソフトウェアキーやリンク表示により、行われている。
【０００４】
しかし、ハードウェアキーと比較して、ユーザが意図しない状態でタッチパネルがタッチされることにより、意図しない操作がされてしまうという問題点があった。この問題点を解決するために、例えば、タッチパネルを長時間タッチすることにより、操作入力として検出されたくない領域を設定できる発明が知られている（例えば、特許文献１参照）。
【先行技術文献】
【特許文献】
【０００５】
【特許文献１】特開２０１１−３９９９０号公報
【発明の概要】
【発明が解決しようとする課題】
【０００６】
近年、スマートフォンのような携帯端末において、片手で持ち、且つ、同じ手で同時に操作することは頻繁に行われており、この操作において親指でタッチパネルを操作する事は、一般的で自然である。ここで、右手に携帯端末を持ち、かつ、右手の親指でタッチパネルを操作する様な場面において、親指の先でタッチしようとしたときに、同時に親指の付け根の部分がタッチパネルの右下の領域に触れてしまい、同時押しと判定され所望の操作が出来ない事があった。
【０００７】
例えば、図２０に示すように、例えば親指でポイントＰ１０をタッチしようとしたときに、小指がＰ１２に当たってしまったり、指の腹部がＰ１４に当たってしまったりすることにより、意図しない入力がされてしまうといった問題点が生じていた。
【０００８】
とくに、スマートフォンをはじめとする情報表示装置は、表示画面の下部には、メニュー機能や、キャンセル機能といった重要なソフトキーが表示されていることが多い。そうすると、例えば文章入力中にキャンセルされたり、意図せずに違う画面に遷移されたりと、ユーザにとって極めて使い勝手の悪い問題が生じていた。
【０００９】
ここで、上記特許文献１において特定部分への操作を無効とするには、所定時間以上の特定部分へのタッチ操作を検出する事が必要となるが、ここでの片手操作のように、ほぼ同時に押下されて、ほぼ同時に離れる短いタッチ操作や、指先を滑らせる操作において、無効としたい親指の付け根の部分へのタッチが不安定な場合には、所定時間以上のタッチ操作を検出する可能性は低いため、右下の領域(特定部分)へのタッチ操作を無効にして、親指の先の操作を有効にすることは困難であった。
【００１０】
上述した課題に鑑み、本発明の目的は、タッチパネルにおいて、同時にタッチ入力が検知された場合であっても優先度に応じて適切な入力が行われることが可能なタッチパネル入力装置等を提供することである。
【課題を解決するための手段】
【００１１】
上述の課題を解決するために、本発明のタッチパネル入力装置は、
各種情報を表示し、複数のタッチ入力の検知が可能なタッチパネルを有するタッチパネル入力装置において、
タッチパネル上において設定される特定領域のタッチ入力と、特定領域以外のタッチ入力とが検知された場合には、特定領域のタッチ入力を無効とし、特定領域以外のタッチ入力を有効とする制御を行うタッチ入力制御手段を備えることを特徴とする。
【発明の効果】
【００１２】
本発明によれば、タッチパネル上において設定される特定領域のタッチ入力と、特定領域以外のタッチ入力とが検知された場合には、特定領域のタッチ入力を無効とし、特定領域以外のタッチ入力を有効とする制御を行うことができる。
【００１３】
これにより、ユーザが所望の操作位置としてタッチした位置が、入力されたと検知され、その他の所望しないタッチ入力については、破棄されることとなる。したがって、利用者が所望する操作がなされることになる。
【図面の簡単な説明】
【００１４】
【図１】実施形態におけるタッチパネル入力装置を備えた携帯電話の外観を説明するための図である。
【図２】実施形態における機能構成を説明するための図である。
【図３】実施形態における特定領域を説明するための図である。
【図４】実施形態における特定領域を説明するための図である。
【図５】実施形態における無効化テーブルのデータ構成の一例を示す図である。
【図６】実施形態における無効化テーブルのデータ構成の一例を示す図である。
【図７】実施形態における特定領域を説明するための図である。
【図８】実施形態における特定領域を説明するための図である。
【図９】第１実施形態における処理の流れを説明するための図である。
【図１０】第１実施形態における処理の流れを説明するための図である。
【図１１】第１実施形態における動作を説明するための図である。
【図１２】第１実施形態における動作を説明するための図である。
【図１３】第１実施形態における動作を説明するための図である。
【図１４】第１実施形態における動作を説明するための図である。
【図１５】第１実施形態における動作を説明するための図である。
【図１６】第１実施形態における動作を説明するための図である。
【図１７】第１実施形態における動作を説明するための図である。
【図１８】第２実施形態における特定領域を説明するための図である。
【図１９】第２実施形態における処理の流れを説明するための図である。
【図２０】従来例を説明するための図である。
【発明を実施するための形態】
【００１５】
以下、本発明のタッチパネル入力装置の最適な形態について説明する。なお、本実施形態では、タッチパネル入力装置を携帯電話（スマートフォン）に提供した場合について説明する。なお、本実施形態では携帯電話を例にとって説明するが、タッチパネルを入力装置として利用している装置であれば他の装置であっても良い。
【００１６】
［１．第１実施形態］
［１．１  全体説明］
図１は、本実施形態における携帯電話１の外観図である。携帯電話１は、各種情報が表示可能であり、ユーザからの入力を検知するタッチパネル１１０を備えている。ユーザからタッチパネルが操作されることにより、携帯電話１に対して各種操作がなされるのである。
【００１７】
［１．２  機能構成］
続いて、図２において、携帯電話１の機能構成について説明する。携帯電話１は、制御部１００と、タッチパネル１１０と、特定領域判定部１２０と、記憶部１３０と、加速度センサ１４０と、携帯通信部１９０とを備えて構成されている。
【００１８】
制御部１００は、携帯電話１の全体を制御するための機能部である。制御部１００は、記憶部１３０に記憶されている各種プログラムを読み出して実行することにより各種機能を実現しており、例えばＣＰＵ（Central Process Unit）により構成されている。
【００１９】
タッチパネル１１０は、入力位置や、入力操作が検知可能な入力検知部１１２と、各種情報等を表示可能な表示部１１４とが一体となった機能部である。入力検知部１１２は、ユーザがタッチしたことを検出し、タッチした位置を制御部１００に出力する。
【００２０】
なお、本実施形態における「タッチ」とは、ユーザがタッチパネルに触れ、タッチパネルを利用して入力操作をすることをいう。例えば、短い「タップ」操作、触れたまま指を移動させる「スライド」操作、その他「ドラッグ」操作や「フリック」操作等についても含む概念とする。
【００２１】
入力検知部１１２がタッチ入力を検知する仕組みとしては、タッチされた圧力を検出する抵抗膜方式や、静電容量の変化を捉える静電容量方式等、複数のタッチ位置、各種操作が検出できる装置であれば何れでも良い。
【００２２】
また、表示部１１４としては、例えばＬＣＤ（Liquid Crystal Display）や、有機ＥＬ（electroluminescence）等、各種情報が表示可能な装置であれば何れでも良い。
【００２３】
特定領域判定部１２０は、検知されるタッチ入力（検出されるタッチ位置・座標）が、特定領域に含まれているか否かを判定する。特定領域とは、予め定められた領域である。例えば、図３は、携帯電話１が縦表示されている場合（縦向き）について模式的に示した図である。図３に示すように、領域Ｒ１０のうち、左下領域のＲ１０Ｌと右下領域のＲ１０Ｒとが特定領域として設定されている。
【００２４】
また、携帯電話１が横表示されている場合（横向き）について模式的に示した図である。図４に示すように、領域Ｒ１２のうち、左下領域Ｒ１２Ｌと、右下領域のＲ１２Ｒとが特定領域として設定されている。
【００２５】
記憶部１３０は、携帯電話１の動作に必要な各種プログラムや、各種データが記憶されている機能部である。記憶部１３０は、例えば、半導体メモリや、ＨＤＤ（Hard Disk Drive）等により構成されている。
【００２６】
また、記憶部１３０には、無効化テーブル１３２が記憶されている。無効化テーブル１３２は、特定領域の状態を記憶しているテーブルであり、当該特定領域の入力検出を有効とするか無効とするかを判定するために用いられるテーブルである。
【００２７】
無効化テーブル１３２のテーブル構成の一例を図５に示す。図５に示すように、特定領域（例えば、「右下領域」）と、優先度（例えば、「低」）と、無効化フラグ（例えば、「ＯＮ」）とを記憶している。
【００２８】
無効化フラグとは、当該特定領域が有効であるか無効であるかを判定するためのフラグである。無効化フラグが「ＯＮ」の場合は、当該特定領域のタッチ入力の検知は無効であると判定する。また、優先度とは、詳細は後述するが、特定領域におけるタッチ入力の検知が同時にされた場合に、どの特定領域を優先するかを示す情報である。
【００２９】
更に、無効化テーブル１３２において、特定領域の位置を具体的に指定することとしても良い。例えば、図６に示すように、無効化テーブル１３２は、携帯電話１が横向きであるか、縦向きであるかに対応づけて、特定領域の位置を定めている。
【００３０】
図６の無効化テーブル１３２では、携帯電話１の向きに、特定領域の名称と、当該特定領域を決定するための相対座標（例えば、「（０．８，０．８）−（１．０，１．０）」）と、優先度（例えば「低」）と、無効化フラグ（例えば、「ＯＮ）」）と記憶している。
【００３１】
なお、本実施形態においては、特定領域を決定するために相対座標を用いている。例えば、図６の無効化テーブル１３２は、図７（横）及び図８（縦）の状態を示していることとなる。すなわち、図７に示すように、横向きの場合、左下領域Ｒ１４Ｌの相対座標が「（０．０，０．８）−（０．２，１．０）」であり、右下領域Ｒ１４Ｒの相対座標が「（０．８，０．８）−（１．０，１．０）」である。
【００３２】
また、縦向きの場合、左下領域Ｒ１６Ｌの相対座標が「（０．０，０．８）−（０．３，１．０）」であり、右下領域Ｒ１６Ｒの相対座標が「（０．７，０．８）−（１．０，１．０）」である。
【００３３】
なお、相対座標で指定されているのは、例えば表示部１１４の解像度が異なる場合でも、正しい領域として設定できるようにするためである。例えば、装置毎の解像度が一定であり、影響が少ない場合は絶対座標で指定しても良い。また、本実施形態においては、矩形で設定しているが、例えば円領域で指定したり、ベクトルによる自由領域で設定したりしても良い。
【００３４】
加速度センサ１４０は、携帯電話１の状態を検出するための機能部である。例えば、加速度センサ１４０を利用することにより、携帯電話１の向きを判定することができる。そして、縦方向表示、横方向表示を切り替えることができる。
【００３５】
携帯通信部１９０は、携帯電話１が基地局と通信を行い、例えば３Ｇ回線網等を通じて、携帯通信を行うための機能部である。例えば、データ通信を行ったり、音声通信を行ったりする。なお、本機能部は、携帯電話１の機能として含めているものであり、本発明の本質部分ではないため、詳細な説明を省略する。
【００３６】
［１．３  処理の流れ］
続いて、本実施形態における処理の流れについて、図９及び図１０を用いて説明する。まず、タッチパネル１１０から入力検知（タッチ位置の検出）があったか否かを判定する（ステップＳ１０２）。ここで、タッチパネル１１０からの入力検知が無い場合、無効化テーブル１３２の無効化フラグを総て「ＯＦＦ」とする（ステップＳ１０２；Ｎｏ→ステップＳ１０４）。そして、ステップＳ１０２から処理を繰り返し実行する。
【００３７】
他方、タッチパネル１１０から入力検知があった場合には（ステップＳ１０２；Ｙｅｓ）、無効化テーブル１３２に無効化フラグが「ＯＮ」となっている特定領域があるか否かを判定する（ステップＳ１０６）。
【００３８】
ここで、無効化フラグが「ＯＮ」となっている特定領域がある場合には（ステップＳ１０６；Ｙｅｓ）、無効化フラグが「ＯＮ」となっている入力検知を破棄する（ステップＳ１０８）。更に、有効とされる入力検知がされているか否かを判定する（ステップＳ１１０）。もし、ステップＳ１０８において無効化フラグが「ＯＮ」の入力検知を破棄した後に、有効となる入力検知が無い場合には、ステップＳ１０２より処理を繰り返し実行する（ステップＳ１１０；Ｎｏ→ステップＳ１０２）。
【００３９】
無効化フラグが「ＯＮ」の特定領域が無いか（ステップＳ１０６；Ｎｏ）、有効となる入力検知が更にある場合には（ステップＳ１１０；Ｙｅｓ）、複数の入力検知があるか否かを判定する（ステップＳ１１２）。
【００４０】
ここで、複数の入力が検知されていない場合は（ステップＳ１１２；Ｎｏ）、入力検知を有効な入力として採用する（ステップＳ１１４）。
【００４１】
他方、複数の入力が検知された場合は（ステップＳ１１２；Ｙｅｓ）、その中で特定領域内で入力検知があるか否かを判定する（ステップＳ１５２）。もし、特定領域内で入力検知が無い場合（ステップＳ１５２；Ｎｏ）は、現在検知されている入力検知を有効なタッチ入力として採用する（ステップＳ１６０）。
【００４２】
また、特定領域にて入力検知があった場合には（ステップＳ１５２；Ｙｅｓ）、特定領域以外でも入力検知があるか否かを判定する（ステップＳ１５４）。特定領域以外でも入力検知がある場合は、入力検知されている特定領域の無効化フラグを「ＯＮ」にする。
【００４３】
そして、無効化ＯＮの入力検知を破棄し（ステップＳ１６８）、残りの入力検知を採用する（ステップＳ１７０）。
【００４４】
また、ステップＳ１５４で特定領域以外において入力検知が無い、すなわち特定領域内で２以上の入力検知を検出した場合は（ステップＳ１５４；Ｎｏ）、左下領域と右下領域との両方で検出したか否かを判定する（ステップＳ１５８）。両方で検出されていない場合（すなわち、片方しか検出されいない場合）は、当該入力検知を採用する（ステップＳ１５８；Ｎｏ→ステップＳ１６０）。
【００４５】
また、ステップＳ１５８において、２つの特定領域（本実施形態では、左下領域と、右下領域との両方）で入力検知があった場合（ステップＳ１５８；Ｙｅｓ）、優先度を判定する。すなわち、優先度が左下領域の方が高ければ右下領域の無効化フラグを「ＯＮ」とし（ステップＳ１６２；Ｙｅｓ→ステップＳ１６４）、優先度が右下領域の方が高ければ左下領域の無効化フラグを「ＯＮ」とする（ステップＳ１６２；Ｎｏ→ステップＳ１６６）。その後は、ステップＳ１６８から処理を実行する。
【００４６】
なお、上述した処理は説明の都合上左下領域、右下領域と２つの特定領域について説明したが、２以上の領域であれば優先度を割り当てることによって同様に説明出来ることは勿論である。また、位置としても右下領域、左下領域と、右下、左下と説明の都合上特定しているが、例えば、右上、左上、中央部の所定の領域と、特定領域として閉じた空間を設定出来れば同じ処理を実現できる。
【００４７】
［１．４  実施例］
続いて、上述した処理を適用した場合の実施例について説明する。図１１〜図１５は２つの領域についての入力状態を示した図である。ここで第１の（特定）領域として「領域Ａ」、第２の（特定）領域として「領域Ｂ」について説明する。また、領域Ａと領域Ｂとでは、領域Ｂの方が優先度が高いものとして説明する。
【００４８】
図１１は、領域Ｂにおいて入力検知があった後に、領域Ａにおいて入力検知があった場合を説明するための図である。領域Ｂについて、入力検知が時刻ｔ１０２でされると、領域Ｂの入力検知が採用される。したがって、その後優先度の低い領域Ａの入力検知が時刻ｔ１０４でなされたとしても、採用される入力検知は領域Ｂとなる。
【００４９】
図１２は、領域Ａにおいて入力検知があった後に、領域Ｂにおいて入力検知があった場合を説明するための図である。時刻ｔ１０６において、領域Ａにおいて入力検知があると、領域Ａの入力検知が採用される。しかし、時刻ｔ１０８において、領域Ｂで入力が検知されると、領域Ａは無効化フラグが「ＯＮ」となる。したがって、それ以降は領域Ａからの入力検知は採用されないこととなる。
【００５０】
図１３は、今度は入力検知が領域Ｂから解除され、その後領域Ａにおいて解除される場合について説明する図である。まず、領域Ｂから入力検知が解除されると、時刻ｔ２５２から採用される入力検知が無くなる。ここで、時刻ｔ２５４までの間、領域Ａから入力検知がされているが、領域Ａは無効化フラグが「ＯＮ」となっている。したがって、領域Ａにおける入力検知は採用されないこととなる。
【００５１】
図１４に示すように、逆に入力検知が領域Ａから解除され、その後領域Ｂにおいて解除される場合も同様である。すなわち、時刻ｔ３０２において領域Ａから入力検知が解除されるが、領域Ａは無効化フラグが「ＯＮ」となっているので、入力検知の採用に影響を及ぼさない。そして、時刻ｔ３０４において領域Ｂから入力検知が解除されるまでの間、領域Ｂの入力検知が採用されている。
【００５２】
図１５は、領域Ａと領域Ｂとの入力検知を時間毎に示した図である。図１５に示す通り、
・時刻ｔ４０２〜ｔ４０４  領域Ａの入力検知が採用
・時刻ｔ４０４  領域Ｂの入力が検知されたことから、領域Ａの無効化フラグＯＮ
・時刻ｔ４０４〜ｔ４１０  領域Ｂの入力検知が採用
・時刻ｔ４１０〜ｔ４１２  領域Ｂの入力検知が解除、領域Ａに入力が検知されているが、無効化フラグＯＮのため、領域Ａの入力検知は採用されない
・時刻ｔ４１２〜ｔ４１８  領域Ｂの入力検知が採用
・時刻ｔ４１８〜ｔ４２０  領域Ｂの入力検知が解除、領域Ａに入力が検知されているが、無効化フラグＯＮのため、領域Ａの入力検知は採用されない
・時刻ｔ４２０〜ｔ４２２  総ての領域の入力が検知されないため、無効化フラグは総てＯＦＦとなる
・時刻ｔ４２２〜ｔ４２４  領域Ａの入力検知が採用
・時刻ｔ４２４〜ｔ４２８  領域Ｂの入力検知が採用、領域Ａの無効化フラグＯＮ
となる。
【００５３】
さらに、図１６は、領域Ａ、領域Ｂに加えて、特定領域以外の領域Ｃと３つの領域がある場合の具体例について説明する。この場合、優先度は特定領域以外の領域Ｃが最も高く、領域Ｂ＞領域Ａの順である。
【００５４】
図１６に示す通り、
・時刻ｔ５０２〜ｔ５０４  領域Ｃの入力検知が採用
・時刻ｔ５０４〜ｔ５０６  領域Ｃに加えて領域Ａの入力が検知、この場合領域Ａの無効化フラグがＯＮになる
・時刻ｔ５０６〜ｔ５０８  領域Ｃの入力検知が解除されるが、領域Ａの無効化フラグがＯＮのため、領域Ａの入力検知は採用されない
・時刻ｔ５０８〜ｔ５１０  領域Ｂの入力検知が採用
・時刻ｔ５１０〜ｔ５１２  領域Ｂの入力検知が解除されるが、領域Ａの無効化フラグがＯＮのため、領域Ａの入力検知は採用されない
・時刻ｔ５１２〜ｔ５１８  領域Ｃの入力検知が採用
・時刻ｔ５１６  領域Ｃに加えて領域Ｂの入力も検知される。したがって、領域Ｂの無効化フラグがＯＮとなる
・時刻ｔ５１８〜ｔ５２０  領域Ｂの入力が検知されているが、無効化フラグがＯＮのため、入力検知が採用されない
・時刻ｔ５２０〜  総ての入力検知が解除される、総ての無効化フラグがＯＦＦ
のように遷移する。
【００５５】
図１７も、領域Ａ、領域Ｂ、領域Ｃと３つの領域がある場合の具体例について説明する。この場合も、領域Ｃが特定領域以外の領域であり、領域Ｂ＞領域Ａの優先度となる２つの特定領域である。
【００５６】
図１７に示す通り、
・時刻ｔ６０２〜ｔ６０４  領域Ｂの入力検知が採用
・時刻ｔ６０４〜ｔ６０６  領域Ｂの入力検知に加えて領域Ａの入力が検知される。領域Ａの無効化フラグＯＮ
・時刻ｔ６０８  領域Ｃの入力が検知される。領域Ｂの無効化フラグがＯＮとなる
・時刻ｔ６０８〜ｔ６１４  領域Ｃの入力検知が採用
・時刻ｔ６１４〜ｔ６１６  領域Ａの入力が検知されているが、無効化フラグがＯＮのため、入力検知が採用されない
・時刻ｔ６１６〜ｔ６１８  総ての入力検知が解除。無効化フラグが総てＯＦＦ
・時刻ｔ６１８〜ｔ６２０  領域Ａの入力検知が採用
のように遷移する。
【００５７】
このように、本実施形態によれば、特定領域と、特定領域以外の領域の入力検知があった場合は、特定領域以外の領域の入力検知が採用されることとなる。更に、異なる特定領域の入力検知がされた場合には、優先度に応じて特定領域の入力検知が採用されることとなる。
【００５８】
これにより、タッチパネルにおいてある領域が押されてしまったとしても、他の領域が押されているときは、どちらが優先して入力検知として採用するのか判定されることとなる。したがって、ユーザによる誤入力を軽減・防止することが可能となる。
【００５９】
［２．第２実施形態］
続いて第２実施形態について説明する。第２実施形態は、特定領域をタッチパネルにおいて入力検知可能な領域の周辺に設定している場合である。
【００６０】
図１８を用いて説明すると、入力検知が可能な領域のうち、無効化フラグがＯＮになることにより、当該タッチ位置の周辺の領域Ｒ２０が特定領域とされる。例えば、Ｒ２４ＡとＲ２４Ｂとが併せてタッチされた場合、Ｒ２４Ａの周辺の領域Ｒ２２を無効化する領域として設定する。なお、本実施形態における機能構成は、第１実施形態と同一である。なお、この無効化する領域としては、無効化テーブル１３２にその矩形領域を記憶したり、中心となる位置座標を記憶することにより実現可能である。
【００６１】
第２実施形態の処理としては、第１実施形態の図１０の処理（ステップＳ１５２〜Ｓ１６８）を、図１９の処理（ステップＳ２０２〜ステップＳ２１８）で置き換えた処理である。以下、図１９を用いて説明する。
【００６２】
特定領域にて入力を検知した場合（ステップＳ２０２；Ｙｅｓ）、特定領域以外でも入力検知があるか否かを検知する。ここで、特定領域以外でも入力検知があった場合には（ステップＳ２０４；Ｙｅｓ）、特定領域の入力位置周辺を無効化領域に設定し、無効化フラグをＯＮにする（ステップＳ２０６）。
【００６３】
そして、無効化フラグがＯＮの入力検知を破棄し（ステップＳ２０８）、残りの有効な入力検知を採用する（ステップＳ２１０）。
【００６４】
他方、ステップＳ２０４において、特定領域以外で入力検知が無い場合（ステップＳ２０４；Ｎｏ）、特定領域のみの入力を有効な設定にしているか否かを確認する（ステップＳ２１２）。ここで、特定入力のみの入力は無効としている場合には（ステップＳ２１２；Ｎｏ）、特定領域の入力位置周辺を無効化領域に設定し、無効化フラグをＯＮにする（ステップＳ２１４）。そして、入力検知は破棄される（ステップＳ２１６）。
【００６５】
なお、ステップＳ２０２において特定領域にて入力検知がない場合（ステップＳ２０２；Ｎｏ）又はステップＳ２１２において特定領域のみの入力が有効と設定されている場合には（ステップＳ２１２；Ｙｅｓ）、入力検知を採用する（ステップＳ２１８）。
【００６６】
［３．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【００６７】
また、上述した実施形態ではタッチパネル入力装置を適用した装置の一例として携帯電話を例にとって説明したが、例えばスマートフォン、電子書籍端末、タブレット端末、電子辞書、カーナビゲーション、コンピュータといった、他のタッチパネルを利用した入力が行われる装置であれば適用可能なことは勿論である。
【００６８】
また、上述した第１実施形態においては、特定領域は予め定められることとして説明したが、例えばユーザが設定したり、アプリケーション側で設定したりしても良い。すなわち、アプリケーション毎に実施形態における特定領域に相当する領域が存在する。そのような領域をアプリケーション毎に対応づけて記憶したり、通信回線を経由して受信されることとしても良い。
【００６９】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【００７０】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（(Magneto Optical Disc）、ＭＤ（Mini Disc）、ＣＤ（Compact Disc）、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【００７１】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【００７２】
また、上述した実施形態における各装置の一部又は全部を典型的には集積回路であるＬＳＩ（Large Scale Integration）として実現してもよい。各装置の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能であることは勿論である。
【符号の説明】
【００７３】
１  携帯電話
１００  制御部
１１０  タッチパネル
１１２  入力検知部
１１４  表示部
１２０  特定領域判定部
１３０  記憶部
１３２  無効化テーブル
１４０  加速度センサ
１９０  携帯通信部
【図１】
2013196582.tif 000003
【図２】
2013196582.tif 000004
【図３】
2013196582.tif 000005
【図４】
2013196582.tif 000006
【図５】
2013196582.tif 000007
【図６】
2013196582.tif 000008
【図７】
2013196582.tif 000009
【図８】
2013196582.tif 000010
【図９】
2013196582.tif 000011
【図１０】
2013196582.tif 000012
【図１１】
2013196582.tif 000013
【図１２】
2013196582.tif 000014
【図１３】
2013196582.tif 000015
【図１４】
2013196582.tif 000016
【図１５】
2013196582.tif 000017
【図１６】
2013196582.tif 000018
【図１７】
2013196582.tif 000019
【図１８】
2013196582.tif 000020
【図１９】
2013196582.tif 000021
【図２０】
2013196582.tif 000022